(57)【要約】【課題】  浴槽に入浴者の頭部を保持するための枕部材を備えた枕付浴槽であって、簡素な構成で枕部材の高さ位置を調節できるようにして快適な入浴を可能にした枕付浴槽を提供する。【解決手段】  上方に開放する浴槽本体２の上端縁部に所定の高さを有して外方に延出する延出部３を形成し、該延出部３内に上方及び浴槽本体２内方に向かって開口する凹部４を設け、該凹部４内に入浴者の頭部を保持するための枕部材５を着脱自在に設けた枕付浴槽１を提供する。【選択図】  図１
2006068313.tif 000002
【特許請求の範囲】
【請求項１】
上方に開放する浴槽本体の上端縁部に所定の高さを有して外方に延出する延出部を形成し、該延出部内に上方及び浴槽本体内方に向かって開口する凹部を設け、該凹部内に入浴者の頭部を保持するための枕部材を着脱自在に設けたことを特徴とする枕付浴槽。
【請求項２】
上記枕部材は高さを調節自在であることを特徴とする請求項１記載の枕付浴槽。
【請求項３】
上記凹部の浴槽本体内方に向かって開口する開口部には上記枕部材の浴槽本体内への滑落を防止する係止部が形成されていることを特徴とする請求項１又は２記載の枕付浴槽。
【請求項４】
上記枕部材は１又は２個以上の発泡樹脂の成型体から成ることを特徴とする請求項１，２又は３記載の枕付浴槽。
【請求項５】
上記枕部材は袋状体内に気体、液体、固体、ゲル状の半固体のいずれかを封入して成ることを特徴とする請求項１，２又は３記載の枕付浴槽。
【請求項６】
上記袋状体は蛇腹状部を備えていることを特徴とする請求項５記載の枕付浴槽。
【請求項７】
上記袋状体は膨縮自在のゴム体又は合成樹脂体で形成されていることを特徴とする請求項５記載の枕付浴槽。
【発明の詳細な説明】
【技術分野】
【０００１】
本発明は、浴槽に入浴者の頭部を保持するための枕部材を取り付けて快適な入浴を可能にした枕付浴槽に関するものである。
【背景技術】
【０００２】
従来、入浴中に入浴者の頭部を保持するため浴槽に取り付ける浴槽用枕や、枕を浴槽に取り付けた枕付浴槽は広く知られている。
例えば、特許文献１には頭部保持部材と、浴槽に着脱可能な吸盤部材から成る浴槽用枕が記載されている。
【０００３】
又、特許文献２には、独立気泡のプラスチック発泡材からなる枕本体と、浴槽への取付け具とから成る浴槽用枕が記載されている。
更に、特許文献３には浴槽本体内壁部に枕用凹部を形成し、そこにゴム等の弾性材からなる伸縮性シートを張設し、その裏側にパッドを配設して、シートとパッドとで枕を構成し、枕を駆動シリンダによって出入自在にした枕付浴槽が記載されている。
【特許文献１】特開２００４−２０２１２３号公報
【特許文献２】特開２００３−２９００６０号公報
【特許文献３】特開平０８−１１７１３０号公報
【発明の開示】
【発明が解決しようとする課題】
【０００４】
然しながら、従来の浴槽用枕は、浴槽の上部に取付ける構成であるため、入浴者が枕として用いる場合に於いて、枕が入浴者の頭部位置よりも高くなることや、湯量により生じる湯面との高低差などの問題があり、又、その高さを自由に調節することができないため、快適に使用することができなかった。
【０００５】
又、前述した枕付浴槽は、枕の位置を調節できるが、高さを調節するものではないため、入浴者の頭部の高さ位置を調節することができず、快適に使用することができないものであり、又、構造が複雑であり製造コストがかかるという問題があった。
【０００６】
以上の現状に鑑み、本発明は、浴槽に入浴者の頭部を保持するための枕部材を備えた枕付浴槽であって、簡素な構成で枕部材の高さ位置を調節できるようにして快適な入浴を可能にした枕付浴槽を提供することを目的とする。
【課題を解決するための手段】
【０００７】
上記の課題を解決すべく、本発明は以下の構成を提供する。
請求項１に係る発明は、上方に開放する浴槽本体の上端縁部に所定の高さを有して外方に延出する延出部を形成し、該延出部内に上方及び浴槽本体内方に向かって開口する凹部を設け、該凹部内に入浴者の頭部を保持するための枕部材を着脱自在に設けたことを特徴とする枕付浴槽を提供するものである。
【０００８】
請求項２に係る発明は、上記枕部材は高さを調節自在であることを特徴とする請求項１記載の枕付浴槽を提供するものである。
請求項３に係る発明は、上記凹部の浴槽本体内方に向かって開口する開口部には上記枕部材の浴槽本体内への滑落を防止する係止部が形成されていることを特徴とする請求項１又は２記載の枕付浴槽を提供するものである。
【０００９】
請求項４に係る発明は、上記枕部材は１又は２個以上の発泡樹脂の成型体から成ることを特徴とする請求項１，２又は３記載の枕付浴槽を提供するものである。
【００１０】
請求項５に係る発明は、上記枕部材は袋状体内に気体、液体、固体、ゲル状の半固体のいずれかを封入して成ることを特徴とする請求項１，２又は３記載の枕付浴槽を提供するものである。
請求項６に係る発明は、上記袋状体は蛇腹状部を備えていることを特徴とする請求項５記載の枕付浴槽を提供するものである。
【００１１】
請求項７に係る発明は、上記袋状体は膨縮自在のゴム体又は合成樹脂体で形成されていることを特徴とする請求項５記載の枕付浴槽を提供するものである。
【発明の効果】
【００１２】
本発明の請求項１記載の発明によれば、上方に開放する浴槽本体の上端縁部に所定の高さを有して外方に延出する延出部を形成し、該延出部内に上方及び浴槽本体内方に向かって開口する凹部を設け、該凹部内に入浴者の頭部を保持するための枕部材を着脱自在に設けた枕付浴槽を提供するので、前記凹部によって、簡素な構成で枕部材を容易に取付けて保持することができると共に、凹部が浴槽本体内方に向かって開口しているので、入浴者は入浴時に頭部を枕部材に載置することができると共に、入浴者の頭部位置を浴槽本体の上端部よりも低くすることができ、入浴者はリラックスした姿勢で快適な入浴をすることができる。
【００１３】
請求項２記載の発明によれば、上記枕部材は高さを調節自在であるので、請求項１記載の発明の効果に加え、入浴者は枕部材の高さを調節して頭部位置を自由に調節できる。
【００１４】
請求項３記載の発明によれば、上記凹部の浴槽本体内方に向かって開口する開口部には上記枕部材の浴槽本体内への滑落を防止する係止部が形成されているので、請求項１又は２記載の発明の効果に加え、係止部により枕部材が安定して保持され、枕部材の浴槽本体内への滑落を防止できる。
【００１５】
請求項４記載の発明によれば、上記枕部材は１又は２個以上の発泡樹脂の成型体から成るので、請求項１，２又は３記載の発明の効果に加え、安価な枕部材を得ることができる。
【００１６】
請求項５記載の発明によれば、上記枕部材は袋状体内に気体、液体、固体、ゲル状の半固体のいずれかを封入して成るので、請求項１，２又は３記載の発明の効果に加え、気体、液体、固体、ゲル状の半固体のうち、適宜の材料を選択して袋状体内に封入し、最適な枕部材を得ることができる。
【００１７】
請求項６記載の発明によれば、上記袋状体は蛇腹状部を備えているので、請求項５記載の発明の効果に加え、袋状体内に封入する物体の量を調節することにより蛇腹状部が伸縮し、袋状体の高さを調節することができる。
【００１８】
請求項７記載の発明によれば、上記袋状体は膨縮自在のゴム体又は合成樹脂体で形成されているので、請求項５記載の発明の効果に加え、袋状体内に封入する物体の量を調節することにより袋状体が膨縮し、袋状体の高さを調節することができる。
【発明を実施するための最良の形態】
【００１９】
以下、実施例を示した図面を参照しつつ本発明の実施の形態を説明する。
図１に於いて、１は本発明による枕付浴槽を示し、枕付浴槽１は上方に開放する平面視略矩形状の浴槽本体２の上端縁部に所定の高さを有して外方に延出する延出部３が形成されており、延出部３内に上方及び浴槽本体２内方に向かって開口する略立方体状の凹部４が形成され、凹部４内に入浴者の頭部を保持するための略立方体状の枕部材５が着脱自在に設けられる。
【００２０】
そして、凹部４の浴槽本体２内方に向かって開口する開口部６には、枕部材５の浴槽本体２内への滑落を防止するため、係止部７，７が開口両側端から開口中央部に向かって突出する如く開口部６上端から下端まで延びて夫々形成されている。
【００２１】
図２は前記枕部材５を示し、枕部材５は高さが同じか、又は、高さの異なる１又は複数個の直方体状の単位枕部材８，８…を積層して所定の高さとなるように構成されたものである。
【００２２】
そして、単位枕部材８は、例えば、可撓性、又は非可撓性の発泡樹脂の成型体から成る。
而して、前記浴槽本体２が、浴室（図示せず）内に施工され設置された後、複数の単位枕部材８，８…を前記凹部４の上方開放部から凹部４内に順次挿入して凹部４内底部上に積層し、最上部の単位枕部材８の上端が、凹部４底部から所定の高さになるまで積層することにより、凹部４内に所定高さの枕部材５を取付ける。
【００２３】
この時、枕部材５は前記係止部７，７によって凹部４の浴槽本体２内方への滑落が防止される。
図３は、浴槽本体２に枕部材５が取り付けられた枕付浴槽１に入浴者９が入浴している状態を示し、入浴者９は頭部１０を枕部材５に載置して入浴することができ、更に、湯面の高さに応じて、或いは、入浴者９の希望に応じて枕部材５の高さを調節することができ、入浴者９はリラックスした姿勢で快適な入浴をすることができる。
【００２４】
尚、前記枕部材５を例えば独立発泡樹脂から成る単位枕部材８，８…等で構成しフロート式の枕部材５とすることも可能であり、その場合に於いては、枕部材５が湯面に浮き、湯面と連動して、入浴者９の頭部を湯面近傍で浮遊状態に保持することができ、入浴者に更に快適な入浴を提供できる。尚、この場合、枕部材５は所定の浮力が得られる高さに形成、又は、積層すれば良い。
【００２５】
斯くして、前記枕付浴槽１は、前記凹部４によって、簡素な構成で枕部材５を容易に取付けて保持することができると共に、凹部４が浴槽本体２内方に向かって開口しているので、入浴者９は入浴時に頭部１０を枕部材５に載置することができると共に、入浴者９の頭部１０位置を浴槽本体２の上端部よりも低くすることができ、入浴者９はリラックスした姿勢で快適な入浴をすることができる。
【００２６】
又、前記枕部材５は高さを調節自在であるので、入浴者９は枕部材５の高さを調節して頭部１０位置を自由に調節できる。
更に、前記係止部７により枕部材５が安定して保持され、枕部材５の浴槽本体２内への滑落を防止できる。
【００２７】
更に又、前記枕部材５は１又は２個以上の発泡樹脂の成型体から成る単位枕部材８，８…から成るので、頭部１０を保持する枕として安価な枕部材を得ることができる。そして、枕部材５は１又は２個以上の可撓性又は非可撓性の発泡樹脂の成型体で成型することができ、枕部材５は枕として適度の可撓性を有することもでき、その硬さを入浴者９の好みに応じて選択することが可能である。
【００２８】
尚、前記枕付浴槽１に於いて、浴槽本体２を平面視略矩形状としたが、これに限定されることなく、浴槽として好適な任意の形状の浴槽本体であっても良く、然る時も略同様な効果が期待できる。
【００２９】
又、前記枕付浴槽１に於いて、凹部４を略立方体状に形成したが、これに限定されることなく、枕部材５が着脱可能であれば、任意の形状に形成しても良く、然る時も略同様な効果が期待できる。更に、凹部４の浴槽本体２外方側の内壁面中央部を切欠して平面視湾曲状に形成し、入浴者９の頭部先端が凹部４内壁面に接触しないようにすれば、入浴者９にとって更に快適な入浴を提供できる。
【００３０】
図４は、前記枕部材（図１に於いて５）に代えて用いることができる他の枕部材１１を示し、該枕部材１１は蛇腹状部１２を備えた袋状体１３に形成されており、袋状体１３の上部に蓋体１４が設けられ、袋状体１３内には、例えば空気等の気体、例えば水等の液体、例えばプラスチックの粒状体等の固体、例えばシリカゲル等のゲル状の半固体を封入することができる。
【００３１】
そして、袋状体１３内に封入する物体の量を調節することにより蛇腹状部１２が伸縮し、袋状体１３の高さを調節することができる。
又、前記袋状体１３内に空気等の浮力の高い物体を封入して、フロート式の枕部材１１とした場合、枕部材１１が湯面に浮き、湯面と連動して、入浴者９の頭部を湯面近傍で浮遊状態に保持することができ、入浴者に更に快適な入浴を提供できる。尚、この場合、袋状体１３には所定の浮力が得られる量の物体を封入すれば良い。
【００３２】
図５は、前記枕部材（図１に於いて５）に代えて用いることができる更に他の枕部材１５を示し、該枕部材１５は膨縮自在のゴム体又は合成樹脂体で袋状体１６に形成されており、袋状体１６の上部に蓋体１７が設けられ、袋状体１６内には、前記袋状体（図４に於いて１３）と同様に、例えば空気等の気体、例えば水等の液体、例えばプラスチックの粒状体等の固体、例えばシリカゲル等のゲル状の半固体を封入することができる。
【００３３】
そして、袋状体１６内に封入する物体の量を調節することにより袋状体１６が膨縮し、袋状体１６の高さを調節することができる。
尚、前記袋状体（図４に於いて１３）と同様に、前記袋状体１６内に空気等の浮力の高い物体を封入して、フロート式の枕部材１５とした場合、枕部材１５が湯面に浮き、湯面と連動して、入浴者９の頭部を湯面近傍で浮遊状態に保持することができ、入浴者に更に快適な入浴を提供できる。尚、この場合、袋状体１６には所定の浮力が得られる量の物体を封入すれば良い。
【００３４】
又、前記枕部材（図１に於いて５）に代えて、高さ調節自在、或いは浮力のある他の材料で枕部材を形成することも可能であり、然る時も、同様な効果が期待できる。
【図面の簡単な説明】
【００３５】
【図１】本発明による枕付浴槽の斜視図である。
【図２】本発明による枕部材の単位枕部材を積層する状態を示す斜視図である。
【図３】本発明による枕付浴槽を用いて入浴している状態を示す斜視図である。
【図４】本発明による他の枕部材を示す斜視図である。
【図５】本発明による更に他の枕部材を示す斜視図である。
【符号の説明】
【００３６】
１  枕付浴槽
２  浴槽本体
３  延出部
４  凹部
５，１１，１５  枕部材
６  開口部
７  係止部
９  入浴者
１０  頭部
１３，１６  袋状体
【図１】
2006068313.tif 000003
【図２】
2006068313.tif 000004
【図３】
2006068313.tif 000005
【図４】
2006068313.tif 000006
【図５】
2006068313.tif 000007